(57)【要約】【課題】様々なシーンに適した撮影条件を設定可能な画像撮像装置を提供すること、撮影画像データが保有している付随情報を有効に利用する技術を提供することを課題とする。【解決手段】撮像部２０１により多次元コード１１を読み込む。撮像部２０１が出力した画像信号は、多次元コード解読部２０６において解読される。解読された多次元コードの情報に基づき、撮影条件設定部２０７が、撮像部２０１および画像処理部２０２の処理内容を設定する。これにより、プリセットの撮影モードには存在しない多次元コード１１に記録されていた撮影条件と同じ撮影条件が設定される。多次元コード１１は、その記録されている撮影条件で撮影された撮影画像とともに印刷媒体に印刷されて提示されるので、ユーザは、撮影画像を見て、撮影状況にマッチした最適な撮影条件情報を得ることができる。【選択図】図４
2007074611.tif 000002
【特許請求の範囲】
【請求項１】
画像撮像手段と、前記画像撮像手段が読み込んだ画像信号に対して画像処理を施す画像処理手段と、を含む画像入力手段と、
前記画像撮像手段が読み込んだ画像信号から情報コードを解読する情報コード解読手段と、
予め用意された初期設定撮影モードと、情報コードに記録された情報に基づいて撮影条件を決定するコード入力撮影モードとの間でモード切替を行うモード切替手段と、
前記画像入力手段の処理内容を設定する設定手段と、
を備え、
前記設定手段は、前記初期設定撮影モードが選択された場合、メモリに記憶されている撮影条件情報を用いて前記画像入力手段の処理内容を設定し、前記コード入力撮影モードが選択された場合、前記情報コード解読手段によって解読された情報コードに記録された撮影条件情報に基づいて前記画像入力手段の処理内容を設定するものであり、
情報コードに記録されている撮影条件情報は、プリセット用の撮影条件情報とは異なり、特定の撮影操作あるいは特定の画像処理操作によって得られた情報であって、その特定の操作によって得られた画像イメージが当該情報コードとともにユーザに提示されていることを特徴とする画像撮像装置。
【請求項２】
請求項１に記載の画像撮像装置において、
前記設定手段は、
ユーザの入力操作に応じて、情報コードを解読して得られた撮影条件情報を修正する修正手段、
を含むことを特徴とする画像撮像装置。
【請求項３】
請求項１または請求項２に記載の画像撮像装置において、
前記設定手段は、
情報コードを解読して得られた撮影条件情報あるいは前記修正手段により修正された撮影条件情報を、新たな撮影モードの情報として登録する手段、
を含むことを特徴とする画像撮像装置。
【請求項４】
請求項１ないし請求項３のいずれかに記載の画像撮像装置において、さらに、
前記コード入力撮影モードにおいて撮影したときの撮影条件情報を情報コードに変換して出力する情報コード生成手段、
を備えることを特徴とする画像撮像装置。
【請求項５】
請求項４に記載の画像撮像装置において、さらに、
前記情報コード生成手段により生成された情報コードを、その情報コードに対応する撮影条件で撮影した画像データに合成する手段、
を備えることを特徴とする画像撮像装置。
【請求項６】
請求項１ないし請求項５のいずれかに記載の画像撮像装置において、
前記情報コードは、多次元コードを含むことを特徴とする画像撮像装置。
【請求項７】
デジタルカメラによって撮影された画像データを処理する装置であって、
前記画像データの撮影条件情報を抽出する手段と、
抽出した撮影条件情報を情報コードとして出力する手段と、
を備えることを特徴とする画像処理装置。
【請求項８】
請求項７に記載の画像処理装置において、さらに、
生成した情報コードを前記画像データに合成して出力する手段、
を備えることを特徴とする画像処理装置。
【発明の詳細な説明】
【技術分野】
【０００１】
本発明は、画像撮像装置に関し、詳しくは、撮像条件の設定技術に関する。
【背景技術】
【０００２】
デジタルカメラには、夜景モード、スポーツモード、風景モード、人物モードなど、シーンに応じた撮影モードが用意されている。撮影者は、撮影状況や被写体に合ったシーンモードを選択することで、手軽に美しい画像を撮影可能である。デジタルカメラは、いずれかの撮影モードが選択されると、シーンに最適な露出、絞り、シャッタースピード、ホワイトバランスなどを自動設定する。これにより、デジタルカメラ初心者でも複雑な設定操作をすることなく、美しい画像を撮影可能である。
【０００３】
下記特許文献１は、このような撮影モードを簡単に設定するための技術に関するものである。デジタルカメラには、あらかじめ複数の撮影モードが登録されている。そして、それら各撮影モードでの撮影に適した写真のサンプルとともに撮影モードの指定情報をバーコードで印字した冊子を用意している。撮影者は、写真のサンプルを参照して、対応する撮影モードを選択する。そして、選択した写真に対応して印字されているバーコードを読み込むことで、登録されているいずれかの撮影モードが選択されるのである。また、下記特許文献２においても、バーコードから読み取った情報に基づいて、撮影条件の設定を行う技術が開示されている。
【０００４】
また、撮影画像データには、メタ情報として、撮影時の露出、絞り、シャッタースピード、ホワイトバランス、位置情報、撮影時間などの情報が、Ｅｘｉｆ規格やＰＩＭ規格に準拠して付加されている。その為、デジタルの画像データからカメラの各種設定情報や撮影時間、位置情報なども後で確認することができる。
【０００５】
また、最近のカメラ付携帯電話機では２次元コードを読み取る機能を備え、膨大な情報（２１セル×２１セル〜１７７セル×１７７セルの２次元コード内に７０８９文字の情報を格納可能）を簡単に読み取る事が可能となった。このことにより、２次元コードを読み取る機能を備えた携帯電話機であればＵＲＬ情報やアドレス帳の入力など手間のかかる操作が容易になった。
【０００６】
【特許文献１】特開２００４−２２８７８４号公報
【特許文献２】特開２００１−３３３３２５号公報
【発明の開示】
【発明が解決しようとする課題】
【０００７】
特許文献１に記載された技術を用いることにより、デジタルカメラに登録されている撮影モードを簡単に選択することが可能である。サンプルの画像を参照しながら撮影モードを選択するので、利便性もよい。しかし、この技術は、あくまでもデジタルカメラに登録されている撮影モードを選択する技術である。したがって、数種類のモード、多くとも十数種類のモードから選択する必要があり、選択の幅に限度がある。最適な撮影モードが存在しない場合はマニュアルでカメラの各種設定を行わなければならない。
【０００８】
また、特許文献２に記載された技術は、単独で存在するバーコードを読み込み、バーコードに記録された撮影モードをデジタルカメラに組み込もうとするものであり、基本的には、プリセット用の撮影モードを簡単な操作で選択可能とするものである。つまり、バーコードが夜景モードに対応したものであれば、一般的な夜景モードの撮影条件情報が取得可能である。仮に、バーコードに記録された撮影条件情報が、一般的な情報ではなく、個別の撮影状況に対応したものであったとしても、バーコードが単独で提供されている以上、それをユーザに把握させることはできない。
【０００９】
このように、特許文献１および特許文献２に記載された技術は、プリセット用の撮影モードを複雑な操作を不要としてデジタルカメラにセットしようとするものであり、選択の幅はある程度限定されることになる。
【００１０】
また、上述したように、撮影画像データには、メタ情報として撮影時の付随情報が付加されているが、撮影画像を印刷すると、当然ながら付随情報が付加されず情報を失ってしまう。
【００１１】
そこで、本発明は前記問題点に鑑み、様々なシーンに適した撮影条件を設定可能な画像撮像装置を提供すること、また、撮影画像データが保有しているメタ情報を有効に利用する技術を提供することを目的とする。
【課題を解決するための手段】
【００１２】
上記課題を解決するため、請求項１記載の発明は、画像撮像手段と、前記画像撮像手段が読み込んだ画像信号に対して画像処理を施す画像処理手段と、を含む画像入力手段と、前記画像撮像手段が読み込んだ画像信号から情報コードを解読する情報コード解読手段と、予め用意された初期設定撮影モードと、情報コードに記録された情報に基づいて撮影条件を決定するコード入力撮影モードとの間でモード切替を行うモード切替手段と、前記画像入力手段の処理内容を設定する設定手段と、を備え、前記設定手段は、前記初期設定撮影モードが選択された場合、メモリに記憶されている撮影条件情報を用いて前記画像入力手段の処理内容を設定し、前記コード入力撮影モードが選択された場合、前記情報コード解読手段によって解読された情報コードに記録された撮影条件情報に基づいて前記画像入力手段の処理内容を設定するものであり、情報コードに記録されている撮影条件情報は、プリセット用の撮影条件情報とは異なり、特定の撮影操作あるいは特定の画像処理操作によって得られた情報であって、その特定の操作によって得られた画像イメージが当該情報コードとともにユーザに提示されていることを特徴とする。
【００１３】
請求項２記載の発明は、請求項１に記載の画像撮像装置において、前記設定手段は、ユーザの入力操作に応じて、情報コードを解読して得られた撮影条件情報を修正する修正手段、を含むことを特徴とする。
【００１４】
請求項３記載の発明は、請求項１または請求項２に記載の画像撮像装置において、前記設定手段は、情報コードを解読して得られた撮影条件情報あるいは前記修正手段により修正された撮影条件情報を、新たな撮影モードの情報として登録する手段、を含むことを特徴とする。
【００１５】
請求項４記載の発明は、請求項１ないし請求項３のいずれかに記載の画像撮像装置において、さらに、前記コード入力撮影モードにおいて撮影したときの撮影条件情報を情報コードに変換して出力する情報コード生成手段、を備えることを特徴とする。
【００１６】
請求項５記載の発明は、請求項４に記載の画像撮像装置において、さらに、前記情報コード生成手段により生成された情報コードを、その情報コードに対応する撮影条件で撮影した画像データに合成する手段、を備えることを特徴とする。
【００１７】
請求項６記載の発明は、請求項１ないし請求項５のいずれかに記載の画像撮像装置において、前記情報コードは、多次元コードを含むことを特徴とする。
【００１８】
請求項７記載の発明は、デジタルカメラによって撮影された画像データを処理する装置であって、前記画像データの撮影条件情報を抽出する手段と、抽出した撮影条件情報を情報コードとして出力する手段と、を備えることを特徴とする。
【００１９】
請求項８記載の発明は、請求項７に記載の画像処理装置において、さらに、生成した情報コードを前記画像データに合成して出力する手段、を備えることを特徴とする。
【発明の効果】
【００２０】
本発明は、特定の撮影操作あるいは特定の画像処理操作によって得られた情報コードを読み込み、その情報コードに記録された撮影条件情報に基づいて画像入力手段の処理内容を設定する。したがって、一般のユーザであっても、プロのカメラマンが撮影したときと同じような撮影条件で撮影を行うことが可能である。また、情報コードは、その撮影条件で撮影された画像イメージとあわせて提示されているので、ユーザは、画像イメージを見ながら、撮影状況にマッチした最適な撮影条件情報を選択可能である。
【００２１】
また、コード入力撮影モードにおいて撮影したときの撮影条件情報を情報コードに変換して出力する手段を備えるので、気に入った撮影条件を保存可能である。
【００２２】
また、生成された情報コードを、その情報コードに対応する撮影条件で撮影した画像データに合成する手段を備えるので、生成した情報コードに記録された撮影条件が、どのような撮影状況にマッチしたものであるか確認可能である。
【発明を実施するための最良の形態】
【００２３】
以下、図面を参照しつつ本発明の実施の形態について説明する。
【００２４】
｛多次元コード｝
図１は、多次元コード１１と撮影画像１２が印刷された印刷媒体１を示す図である。たとえば、この撮影画像１２はプロのカメラマンがデジタルカメラを利用して撮影した画像である。そして、多次元コード１１には、このプロのカメラマンが撮影したときの撮影条件情報が記録されている。ここで、撮影条件情報には、デジタルカメラの撮像装置に関わる設定情報と画像処理部に関わる設定情報とが含まれる。撮像装置に関わる設定情報とは、露出、絞り、シャッタースピードなどの設定値であり、画像処理部に関わる設定情報とは、ホワイトバランス、ノイズリダクションなどの設定値である。
【００２５】
このような印刷媒体１は、カード形式で配布されてもよいし、冊子として配布されていてもよい。たとえば、プロのカメラマンがデジタルカメラを使用して撮影した画像を記載した写真雑誌において、それぞれの撮影画像の横に多次元コード１１を印字するようにしてもよい。
【００２６】
一般のカメラユーザであれば、デジタルカメラにプリセットで用意されている撮影モードを利用して撮影を行うことで、大抵の要求は満たすことができる。デジタルカメラには、たとえば、夜景モード、風景モード、スポーツモードなどの撮影モードが用意されている。このようなプリセットの撮影モードを利用することで、カメラの初心者でも、簡単にシーンにあった撮影を行うことが可能である。しかし、これらプリセットの撮影モードは、各シーンの撮影状況を一般化して扱うものであるので、プロや中級者以上のカメラマンであれば、最適な設定値ではないと感じる場合もある。そこで、プロのカメラマンは、マニュアル操作により撮影条件を最適設定し、より美しい画像を得るようにしているのである。そして、この印刷媒体１には、プロのカメラマンによって撮影された美しい画像とともに、その画像を得るために設定された撮影条件の情報が多次元コード１１として印字されているのである。
【００２７】
このように、印刷媒体１は、美しい撮影画像と、その画像を撮影するために必要な情報とをセットで提供するものである。この印刷媒体１は、上述したように、一般化された撮影条件の情報と、対応するシーンのサンプル画像とをセットで提供するものではない。この印刷媒体１は、実際に個別の撮影状況に応じて設定操作された撮影条件情報（多次元コード１１）と、その撮影条件で撮影された特定の撮影画像１２とをセットで提供するものである。したがって、ユーザは、写真雑誌などに多数掲載された撮影画像１２を参照し、撮影状況に最もマッチした撮影画像１２を選択することで、所望の撮影条件情報を得ることが可能である。
【００２８】
この印刷媒体１を生成すためには、多次元コード１１を出力するアプリケーションプログラムが用いられる。このアプリケーションプログラムは、パーソナルコンピュータやデジタルカメラ、携帯電話機などにインストール可能とすればよい。このアプリケーションプログラムは、撮影条件情報−つまり、露出、絞り、シャッタースピードなどの設定値や、ホワイトバランス、ノイズリダクション適応値などの画像処理の設定値−を多次元コード１１に変換して出力するプログラムである。
【００２９】
上述したように、撮影画像データにはメタ情報が記録されている。このアプリケーションプログラムは、撮影画像データに記録されたメタ情報から撮影条件情報を取得し、多次元コード１１を生成する。さらに、このアプリケーションプログラムは、撮影条件情報をカスタマイズする機能を備えている。たとえば、ホワイトバランスやノイズリダクション適応値を修正するためのＧＵＩを備え、ユーザがＧＵＩを利用して、各パラメータを修正可能としている。そして、修正された撮影条件情報についても、多次元コード１１として出力する機能を備えている。
【００３０】
また、このアプリケーションプログラムは、撮影条件情報と撮影画像とを合成する機能も備える。これにより、このプログラムは、図１で示したように、撮影画像１２と多次元コード１１とがレイアウトされた画像を出力可能である。
【００３１】
本実施の形態においては、撮影条件情報を記録する情報コードとして多次元コード１１を用いているが、多次元コード１１としては、たとえばＱＲコード（登録商標）を用いることができる。情報コードとして多次元コード１１を用いることで、多くの情報を記録可能としているが、１次元バーコードを用いてもよい。また、多次元コードとしては、他にも米Ｓｙｍｂｏｌ社のＰＤＦ４１７、米ＣＩ  Ｍａｔｒｉｘ社のＤａｔａＭａｔｒｉｘ、米ＵＰＳ社のＭａｘｉ  Ｃｏｄｅなどを利用可能である。
【００３２】
｛携帯電話機の構成｝
図２は、本実施の形態に係るカメラ機能付携帯電話機２（以下、単に携帯電話機２と呼ぶ。）のブロック図である。携帯電話機２は、レンズ、ズーム機構、画像撮像素子などから構成される撮像部２０１と、撮像部２０１から出力された画像信号にアナログおよびデジタルの画像処理を施す画像処理部２０２と、画像処理部２０２から出力された画像信号を表示する液晶表示部２０３とを備えている。また、液晶表示部２０３には、携帯電話機２の各種操作を行うためのユーザインタフェースや、携帯電話機２の本来の機能（ダイヤル操作、電話番号表示）を実行するための情報が表示される。
【００３３】
携帯電話機２は、また、携帯電話機２に各種の操作指示を行うための操作部２０４と、画像処理部２０２から出力された画像信号から多次元コード１１を解読する多次元コード解読部２０６と、多次元コード１１に記録されている撮影条件情報に基づいて撮像部２０１および画像処理部２０２の処理内容を設定する撮影条件設定部２０７とを備えている。操作部２０４は、ボタン、ダイヤルなどで構成される。さらに、携帯電話機２は、メモリ２０８と、撮影画像データから多次元コードを生成する多次元コード生成部２０９と、生成された多次元コードを撮影画像データに合成する多次元コード合成部２１０とを備えている。
【００３４】
なお、図２において、携帯電話機２の本来の機能を実行するための部品、たとえば、マイク、スピーカ、アンテナ、通信処理部などは図示省略している。また、モード切替部２０５、多次元コード解読部２０６、撮影条件設定部２０７、多次元コード生成部２０９、多次元コード合成部２１０は、ソフトウェア処理で実現されている。ただし、その一部がハードウェアで実現されていてもよい。
【００３５】
｛撮影モード｝
次に、携帯電話機２の撮影モードについて説明する。図３に示すように、この携帯電話機２は、初期設定撮影モードとコード入力撮影モードの２つの撮影モードを備えている。初期設定撮影モードは、メモリ２０８に記録されている初期設定撮影モードデータ５１を利用して撮影を行うモードである。言い換えると、プリセットの撮影条件情報を利用して撮影を行うモードである。一般のユーザであれば、この初期設定撮影モードを利用することで、簡単に、所望の撮影画像を得ることが可能である。ただし、上述したように、プリセットの撮影条件情報は、一般化された撮影条件情報が設定されるので、撮影状況によっては、満足のいく画像が得られない場合がある。
【００３６】
ユーザによって初期設定撮影モードが選択されると、撮影条件設定部２０７が、メモリ２０８から初期設定撮影モードデータ５１を読み出し、指定された撮影モードに対応した撮影条件を撮像部２０１および画像処理部２０２に設定するのである。初期設定撮影モードとしては、たとえば、夜景モード、接写モード、風景モード、ポートレートモード、スポーツモードなどがあり、初期設定撮影モードデータ５１は、これら各モードに対応した撮影条件情報を記録しているのである。ユーザが操作部２０４を操作し、これらいずれかの撮影モードを選択すると、その撮影モードに対応した撮影条件が設定されるのである。
【００３７】
これに対して、コード入力撮影モードは、特定の撮影画像に用いられた特定の撮影条件情報を利用して撮影を行うモードである。このモードを利用するために上記の印刷媒体１を利用する。この印刷媒体１には、プロのカメラマンが撮影した撮影画像１２と、その画像を撮影したときの撮影条件情報が記録された多次元コード１１が記録されている。したがって、ユーザは、この撮影画像１２を参照して、現在の撮影状況に最もマッチした多次元コード１１を選択するのである。たとえば、印刷媒体１を多数含んでいる写真雑誌を参照し、今取りたい画像に最も近い撮影画像１２を探し出すのである。
【００３８】
図４は、コード入力撮影モードが選択されたときの処理の流れを示す図である。ユーザにより、コード入力撮影モードが選択されると、モード切替部２０５により、画像処理部２０２および撮影条件設定部２０７に対して、モード切替情報が通知される。これにより、画像処理部２０２は、撮像部２０１が出力した画像信号に対して、多次元コード１１の解読に適した画像処理を施すよう設定される。また、撮影条件設定部２０７は、初期設定撮影モードデータ５１の読み込み処理を行わず、多次元コード解読部２０６から解読された多次元コード１１の情報が通知されるまで、設定処理を待機状態にする。
【００３９】
ユーザによりコード入力撮影モードが選択され、さらに、ユーザが印刷媒体１の多次元コード１１に撮像部２０１を近づける。なお、コード入力撮影モードが選択されることにより、撮像部２０１は、一旦、多次元コード１１の撮像に適した処理設定がされる。そして、撮像部２０１により多次元コード１１が読み取られる（図４のステップＳ１）。このとき、液晶表示部２０３には、撮影する対象の多次元コード１１がライブビューされるが、表示部には、多次元コードの位置あわせを行うためのフレームがＯＳＤ（On Screen Display）表示される。これにより、多次元コードをスムーズに読み取ることができるようにしている。
【００４０】
撮像部２０１は、読み取った画像信号を画像処理部２０２に出力する（ステップＳ２）。画像処理部２０２において、多次元コード１１を解読するために適した画像処理が施され、画像処理後の画像信号が多次元コード解読部２０６に出力される（ステップＳ３）。多次元コード解読部２０６は、多次元コード１１を解読すると、解読した情報を撮影条件設定部２０７に通知する（ステップＳ４）。そして、撮影条件設定部２０７は、解読された情報に基づいて、撮像部２０１および画像処理部２０２の処理内容を設定するのである（ステップＳ５）。たとえば、撮影条件設定部２０７は、撮像部２０１に対して絞り値、シャッタースピード、ストロボＯＮ／ＯＦＦなどの制御パラメータを設定し、画像処理部２０２に対して、ホワイトバランス処理、ノイズリダクション処理などの処理パラメータを設定する。
【００４１】
このようにして、撮像部２０１と画像処理部２０２は、印刷媒体１に印刷されていた撮影画像１２を撮影したときと同じ撮影条件が設定されるのである。この後、ユーザは、シャッターボタンを押して撮影操作を行うことにより、プロのカメラマンと同じ撮影条件で画像を得ることが可能である。
【００４２】
また、撮影条件設定部２０７は、多次元コード１１を読み取って取得した撮影条件情報を修正する機能を備えている（ステップＳ６）。多次元コード１１の修正処理は、ユーザの操作により実行される。たとえば、液晶表示部２０３に、撮影条件情報に含まれる各パラメータを操作するためのユーザインタフェースを表示する。ユーザは、上述したように、多次元コード１１を読み取ることにより、プロのカメラマンと同じ撮影条件を設定することが可能であるが、さらに、この撮影条件を微調整したい場合には、この設定値を修正することを可能としているのである。たとえば、カメラの上級者であれば、プロのカメラマンの撮影条件を利用して、さらに、撮影状況に応じて撮影条件を微調整することで、より美しい画像を得ることが可能である。
【００４３】
｛撮影モードの登録｝
上述したように、携帯電話機２は、多次元コード１１を読み取ることで、印刷媒体１に印刷されていた撮影画像１２と同じ撮影条件を撮像部２０１および画像処理部２０２に設定することが可能である。そして、撮影条件設定部２０７は、さらに、この多次元コード１１から取得した撮影条件情報をメモリ２０８に登録する機能を備えている（図４のステップＳ７）。あるいは、図４のステップＳ６で修正した後の撮影条件情報を登録する機能を備えている。このようにして登録されたデータが、図２に示すユーザ撮影モードデータ５２である。
【００４４】
図５は、ユーザ撮影モードデータ５２のデータの内容を示す図である。ユーザ撮影モードデータ５２は、制御パラメータとオプションデータを含んでいる。制御パラメータは、たとえば、露出、絞り値、シャッタースピード、色味値、ホワイトバランス、ノイズリダクション適応値、シャープネス適応値などである。これらの値は、多次元コード１１から解読された情報である。あるいは、多次元コード１１から解読された情報にユーザが修正を加えた情報である。オプションデータは、撮影モード名、撮影モード説明コメント、撮影モードイメージ画像を含んでいる。撮影モード名および撮影モード説明コメントは、ユーザが自由に入力することのできる情報である。また、撮影モードイメージ画像は、このユーザデータによって撮影した画像のサンプルデータが記録される。サンプルデータとしては、画素の間引きを行い、サイズの小さい画像データを用いればよい。
【００４５】
このようにして新たに登録された撮影モードは、次回からは、初期設定撮影モードと同様に、メモリ２０８から読み出して実行することが可能である。これにより、ユーザは、プリセットの撮影モードに加えて、印刷媒体１から取得した情報に基づく新たな撮影モードを利用することが可能である。
【００４６】
｛多次元コードの生成、合成｝
上述したように、携帯電話機２は、多次元コード１１を読み込んで得た撮影条件情報に基づいて画像を撮影する。そして、撮影された画像は、撮影画像データ５３としてメモリ２０８に記録される。
【００４７】
撮影画像データ５３は、図６に示すように、そのメタ情報５３１と画像情報５３２とを含んでいる。メタ情報５３１は、解像度、データサイズなどの画像記録情報、露出、ホワイトバランスなどの撮影条件情報、撮影日時情報など多岐に渡る情報を含んでいる。このようなメタ情報５３１は、たとえば、Ｅｘｉｆ規格やＰＩＭ規格などに準拠したデータ構造で画像データのヘッダ部に記録される。
【００４８】
そして、多次元コード生成部２０９は、このメタ情報５３１に基づいて多次元コード５４を生成するのである。ここで、撮影画像データ５３は、初期設定撮影モードで撮影されたデータである場合と、コード入力撮影モードで撮影されたデータである場合とがあるが、多次元コード生成部２０９は、いずれの場合であっても多次元コード５４を生成する機能を持っている。したがって、生成された多次元コード５４は、印刷媒体１に印字されていた多次元コード１１から取得した撮影条件が記録されたコードである場合と、多次元コード１１から取得した後、ユーザによって修正された撮影条件が記録されたコードである場合と、初期設定撮影モードデータ５１を多次元コード化したものとが存在する。
【００４９】
このように、本実施の形態の携帯電話機２は、撮影画像データ５３のメタ情報５３１に基づいて多次元コード５４を生成するので、この多次元コード５４をデータとして他人に配布することや、あるいは紙媒体に印字するなどすることによって、自身が撮影した画像の撮影条件を多次元コード５４として保存することが可能である。
【００５０】
さらに、多次元コード合成部２１０は、多次元コード生成部２０９によって生成された多次元コード５４と、その多次元コード５４を生成する元となった撮影画像データ５３とを合成する機能を備えている。多次元コード合成部２１０は、撮影画像データ５３の任意の位置に多次元コード５４をオーバレイして記録する。この場合、多次元コードの画像と撮影画像とは別画像ファイルとして形成し、リンク情報を持たせるようにしてもよい。あるいは、撮影画像に多次元コードの画像をオーバレイさせた１つの画像を形成するようにしてもよい。そして、多次元コード５４が合成された撮影画像データ５３を印刷することにより、図６に示すような印刷画像５５を得ることが可能である。この印刷画像５５は、図１で示した印刷媒体１と同様に、撮影画像と、その撮影画像を撮影したときの撮影条件情報をセットで提供するものである。
【００５１】
以上、本発明の画像撮像装置として携帯電話機を例に説明したが、もちろん、画像撮像装置としては、デジタルカメラを適用させてもよい。
【図面の簡単な説明】
【００５２】
【図１】情報コードと撮影画像とがセットで印刷された媒体を示す図である。
【図２】本実施の形態に係るカメラ機能付携帯電話機のブロック図である。
【図３】携帯電話機の撮影モードの種類を示す図である。
【図４】コード入力撮影モードにおける処理の流れを示す図である。
【図５】ユーザ撮影モードデータの内容を示す図である。
【図６】多次元コードの生成および合成の処理の流れを示す図である。
【符号の説明】
【００５３】
１    印刷媒体
２    カメラ機能付携帯電話機
１１  多次元コード
１２  撮影画像
２０１    撮像部
２０２    画像処理部
２０５    モード切替部
２０６    多次元コード解読部
２０７    撮影条件設定部
２０９    多次元コード生成部
２１０    多次元コード合成部
【図１】
2007074611.tif 000003
【図２】
2007074611.tif 000004
【図３】
2007074611.tif 000005
【図４】
2007074611.tif 000006
【図５】
2007074611.tif 000007
【図６】
2007074611.tif 000008